【手続補正書】
【提出日】平成20年2月20日(2008.2.20)
【手続補正１】
【補正対象書類名】特許請求の範囲
【補正対象項目名】全文
【補正方法】変更
【補正の内容】
【特許請求の範囲】
【請求項１】
中空体から除去可能な物質、特に好ましくは血管から血栓と塞栓を吸い込み、破砕し、また排出するためのカテーテルであって、
ガイドワイヤー（６）を通り、これと無関係に軸上に伸ばすことが出来、カテーテルの遠位端に配置され、少なくとも一つの側面の開口部（１４）を備える作業ヘッド（１１）を持ち、
その際にカテーテル（１０）は、作業ヘッド（１１）から離れた駆動ユニット（１）の回転駆動装置（２）を用いて回転に置き換え可能な可撓性のある、遠位と近位部分を持つ送りネジ（１３）を備え、ならびに送りネジ（１３）を取り巻き、作業ヘッド（１１）につながれた、分離された血栓と塞栓の破片を搬出するための、可撓性のあるホース（１２）、および切断用具（１３）を持ち、
送りネジ（１３）の周辺部の縁と開口部（１４）の縁の間で、侵入してくる物質、あるいは吸い込まれ、分離されるかあるいはその一方がなされた血栓と塞栓を細分化するために、送りネジ（１３）が、作業ヘッド（１１）の開口部（１４）と共に作用して、剪断をする切断用具としてデザインされることを特徴とするカテーテル。
【請求項２】
中空体から除去可能な物質、特に好ましくは血管から血栓と塞栓を吸い込み、破砕し、排出するためのカテーテルであって、
遠位と近位端、およびガイドワイヤー（６）を通り、これと無関係に軸上に伸ばすことが出来、カテーテルの遠位端に配置され、少なくとも一つの側面の開口部（１４）を備える作業ヘッド（１１）を持ち、
その際にカテーテル（１０）は、作業ヘッド（１１）から離れた駆動ユニット（１）の回転駆動装置（２）を用いて回転に置き換え可能な可撓性のある、カテーテルの近位端から遠位端へ延びる送りネジ（１３）を備え、
その際に送りネジ（１３）は、その縦軸に沿って、半径の方向に螺旋形に延びる搬出面を装備され、カテーテルは、また送りネジ（１３）を取り巻き、作業ヘッド（１１）につながれ、物質あるいは分離された血栓と塞栓の破片を搬出するための可撓性のあるホース（１２）、および切断用具を持ち、
作業ヘッド（１１）の領域内の送りネジ（１３）は、作業ヘッド（１１）の開口部（１４）と共に作用し、剪断をする切断用具としてデザインされ、切断用具が、動作状態において、送りネジ（１３）の周辺部の縁と開口部（１４）の縁の間で、侵入してくる物質、あるいは吸い込まれ、分離されまたはその一方をされた血栓と塞栓を継続して細分化し、搬出面に沿って、近位端（７）の方向に運び去ることを特徴とするカテーテル。
【請求項３】
中空体から除去可能な物質、特に好ましくは血管から血栓と塞栓を吸い込み、破砕し、また排出するためのカテーテルにおける作業ヘッドであって、
少なくとも一つの側面の開口部（１４）を備え、その際にカテーテル（１０）は、作業ヘッド（１１）から離れた駆動ユニット（１）の回転駆動装置（２）を用いて回転に置き換え可能な可撓性のある送りネジ（１３）を備え、その際に送りネジ（１３）は、搬出面を装備され、
作業ヘッド（１１）の領域内の送りネジ（１３）は、作業ヘッド（１１）の開口部（１４）と共に作用し、剪断をする切断用具デザインされ、切断用具は、動作状態において、送りネジ（１３）の周辺部の縁と開口部（１４）の縁の間で、侵入してくる物質、あるいは吸い込まれ、また分離され、またはその一方をされた血栓と塞栓を継続して細分化し、搬出面に沿って運び去ること、また作業ヘッド（１１）の側面の開口部（１４）が、本質的に縦方向に、また胴回りの部分に沿って延びる辺を持つＬ字形のスリット（１４ｉ，１４ｋ，１４ｌ，１４ｍ）としてデザインされることを特徴とする作業ヘッド。
【請求項４】
胴回り方向に延びる辺の幅に対する、縦方向に延びる辺の幅の比率が１．０と１．３の間の値をとることを特徴とする、請求項３に記載の作業ヘッド。
【請求項５】
作業ヘッド（１１）の領域内の送りネジ（１３）の遠位部分が、外径において好ましくは円筒形の作業ヘッド（１１）の内径に対して正確な仕上げでデザインされているので、送りネジ（１３）の外径は、作業ヘッド（１１）の内ケース表面の内径に対して、最小限の直径の遊びを見せるのみであることを特徴とする、請求項１から４までのいずれか一項に記載のカテーテルあるいは作業ヘッド。
【請求項６】
送りネジ（１３）の外側におけるかどが、作業ヘッド（１１）の開口部（１４）の領域内でヘリを鋭くデザインされることを特徴とする、請求項１から５までのいずれか一項に記載のカテーテルあるいは作業ヘッド。
【請求項７】
作業ヘッド（１１）が、その遠位端（８）に向けて先細にされていることを特徴とする、前記請求項のいずれか一項に記載のカテーテルあるいは作業ヘッド。
【請求項８】
作業ヘッド（１１）の内ケース表面の領域内にある側面の開口部（１４ａ）のかど（１５）が、少なくとも領域的にヘリが鋭くデザインされていることを特徴とする、前記請求項のいずれか一項に記載のカテーテルあるいは作業ヘッド。
【請求項９】
作業ヘッド（１１ａ）の外ケース表面の領域内にある側面の開口部（１４ａ）の縁（１６）が、少なくとも領域的に丸められてデザインされることを特徴とする、前記請求項のいずれか一項に記載のカテーテルあるいは作業ヘッド。
【請求項１０】
側面の開口部（１４）が、スリットとしてデザインされることを特徴とする、前記請求項のいずれか一項に記載のカテーテル。
【請求項１１】
スリットが、少なくとも部分的に、作業ヘッド（１１）の軸上の方向に延びていることを特徴とする、請求項１０に記載のカテーテル。
【請求項１２】
スリット（１４ｎ，１４ｏ，１４ｐ，１４ｑ）が、作業ヘッド（１１ｎ，１１ｏ，１１ｐ，１１ｑ）の縦軸に対し相対的に、少なくとも一部は螺旋に沿ってデザインされることを特徴とする、請求項１０あるいは１１に記載のカテーテル。
【請求項１３】
スリット（１４ｈ）の幅が、作業ヘッド（１１ｈ）の近位端の方へずっと減少することを特徴とする、請求項３から９まで、および１０から１２までのいずれか一項に記載のカテーテルあるいは作業ヘッド。
【請求項１４】
スリット（１４ｉ，１４ｋ，１４ｌ，１４ｍ）が、Ｌ字形にデザインされることを特徴とする、請求項１０から１３までに記載のカテーテル。
【請求項１５】
外ケース表面における作業ヘッド（１１ｂ，１１ｆ，１１ｇ，１１ｑ）の遠位の先端領域内に、遠位端から出て、側面の開口部（１４ｂ，１４ｆ，１４ｇ，１４ｑ）につながる溝形の刻み目（１９ａ，１９ｂ，１９ｃ）の少なくとも一つが配置されることを特徴とする、前記請求項のいずれか一項に記載のカテーテルあるいは作業ヘッド。
【請求項１６】
溝形の刻み目（１９）の深さが、作業ヘッドの近位端の方へずっと増加することを特徴とする、請求項１５に記載のカテーテルあるいは作業ヘッド。
【請求項１７】
溝形の刻み目（１９ｂ）の幅（ｂ）が、溝の底の領域内の作業ヘッド（１１ｆ）の内径の弦（ｓ）よりも大きいことを特徴とする、請求項１５または１６に記載のカテーテルあるいは作業ヘッド。
【請求項１８】
作業ヘッド（１１ａ）が、軸上で引っ張りと圧縮に強くホース（１２）につながれることを特徴とする、前記請求項のいずれか一項に記載のカテーテルあるいは作業ヘッド。
【請求項１９】
ホース（１２）が、少なくとも断片的に補強（１７）を備えることを特徴とする、前記請求項のいずれか一項に記載のカテーテル。
【請求項２０】
補強（１７）が、金属の螺旋としてデザインされることを特徴とする、請求項１９に記載のカテーテル。
【請求項２１】
補強（１７）が、ホース（１２）の内側上に配置されることを特徴とする、請求項１９または２０に記載のカテーテル。
【請求項２２】
ホース（１２）が、二つの部分に分かれてデザインされ、その際に近位部分は、プラスチックホースとして、また遠位部分は、薄壁でしなやかなプラスチック被覆（１８）を持つ金属のバネ渦巻き線（１７）としてデザインされることを特徴とする、前述の請求項のいずれか一項に記載のカテーテル。
【請求項２３】
作業ヘッド（１１）および送りネジ（１３）またはその一方が、金属特に好ましくはステンレス鋼から成り立っていることを特徴とする、前述の請求項のいずれか一項に記載のカテーテルあるいは作業ヘッド。
【請求項２４】
作業ヘッド（１１）が、焼結されたセラミックスまたは金属セラミックスから組み立てられるか、あるいは高強度の磨耗・防護被膜を備えることを特徴とする、前述の請求項のいずれか一項に記載のカテーテルあるいは作業ヘッド。
【請求項２５】
図４から図８０に従う、前述の請求項のいずれか一項に記載のカテーテル用の作業ヘッド。